(57)【要約】【課題】仏壇の扉に花立てを載置したとき完全に固定され、花立てが不用意に外れることがなく、必要なときには簡単に取外すことのできる仏壇を提供する。【解決手段】扉１１に花立て１７を置けるようにした仏壇１０において、扉１１を開いた状態の外側に、アリ溝を形成した二本のレール１２を向かい合わせて取付け、花瓶１４と保持板１６とを貼り合せた花立て１７の両側縁を、上記レール１２のアリ溝に差込み可能にしたものであり、上記アリ溝を構成する部材として、断面がＬ字、コ字または片側脚が直角の台形のいずれかのものを採用し、上記レールの下端をピンで回動自在に支持することもできる。【選択図】図１
2005168816.tif 000002
【特許請求の範囲】
【請求項１】
扉に花立てを置けるようにした仏壇において、扉を開いた状態の外面に、アリ溝を形成した二本のレールを向かい合わせて取付け、花瓶と保持板とを貼り合せた花立ての両側縁を、上記レールのアリ溝に差込み可能にしたことを特徴とする仏壇。
【請求項２】
上記アリ溝を構成する部材として、断面がＬ字、コ字または片側脚が直角の台形のいずれかのものを採用したことを特徴とする請求項１に記載の仏壇。
【請求項３】
上記レールの下端をピンで回動自在に支持したことを特徴とする請求項１または２に記載の仏壇。
【請求項４】
上記保持板に貼り付けられた花瓶は、その挿し口を全部残して花瓶の縦軸に対して斜めに切断した如き形にしたことを特徴とする請求項１乃至３のいずれかに記載の仏壇。
【発明の詳細な説明】
【技術分野】
【０００１】
この発明は、扉に花立てを着脱可能にした仏壇に関する。
【背景技術】
【０００２】
扉の一部分に花立てを載置できるようにした仏壇として、特許文献１および２がある。
【０００３】
【特許文献１】特開平８−１１２１９１号公報（要約）
【特許文献２】特開２０００−５０４０号公報（要約）
【０００４】
上記特許文献１の発明は、「仏壇本体の前面開口部の左右に、外扉板と内扉板とを接合してＬ字形に成形した一対の扉を観音開き状に蝶着した仏壇において、外扉板と内扉板との間に花瓶等の載置台を兼ねる補強板を固着した」ものである。
【０００５】
また、特許文献２の発明は、「矩形の箱形状の本体と、観音開きの左右一対の箱状の扉とを有し、左右の扉の仕切板には、花立てを入れまたは供物台の位置決めるための貫通穴が形成された」ものである。
【発明の開示】
【発明が解決しようとする課題】
【０００６】
上記特許文献の各発明は、仏壇の扉に花立てを載置できるようになっているが、置いた位置がずれないように穴を開けているか、リングを設けているだけで、花立てを完全固定するようになっていない。
【０００７】
上記従来技術の問題点に鑑みこの発明は、仏壇の扉に花立てを載置したとき完全に固定され、花立てが不用意に外れることがなく、必要なときには簡単に取外すことのできる仏壇を提供することを課題とする。
【課題を解決するための手段】
【０００８】
上記課題を解決するためにこの発明は、扉に花立てを置けるようにした仏壇において、扉を開いた状態の外面に、アリ溝を形成した二本のレールを向かい合わせて取付け、花瓶と保持板とを貼り合せた花立ての両側縁を、上記レールのアリ溝に差込み可能にしたものであり、上記アリ溝を構成する部材として、断面がＬ字、コ字または片側脚が直角の台形のいずれかのものを採用したものである。また、上記レールの下端をピンで回動自在に支持することもでき、上記保持板に貼り付けられた花瓶は、その挿し口を全部残して花瓶の縦軸に対して斜めに切断した如き形にすることもできる。
【発明の効果】
【０００９】
上記の如く構成するこの発明によれば、扉を開いたときに表側になる面にアリ溝を形成した二本のレールを向かい合わせて取付け、このレールに花瓶と一体の保持板の両側縁を差込むようにしたので、一旦差込めば不用意に外れることがなく、外したいときは保持板とともに花瓶を滑らせると簡単に抜き取ることができる。また、上記レールの下端をピンにより回動可能に支持することにより、使用しないときはレールを扉の枠内に収納することができ、使用時には揺動端を扉の枠から迫りださせて花立てを差込み易くすることができ、花瓶の挿し口を全部残して花瓶の縦軸に対して斜めに切断した形にすることにより仏花が活け易くなる。
【実施例１】
【００１０】
次にこの発明の実施例１を、図１、図２を参照しながら説明する。仏壇１０の扉１１には、その裏面（扉を開いた状態で表を向く面）に断面Ｌ字状の二本の部材を向き合うように貼り付けてアリ溝のレール１２を形成し、その下端に止め部材１３が貼り付けられている。
【００１１】
一方、花瓶１４は背面を平にし、この平らな面に、上記レール１２に嵌る幅で上部中央には把手穴１５を設けた保持板１６を貼り合せて花瓶１４と保持板１６とを一体にして花立て１７とする。なお、花瓶１４と保持板１６とを貼り合せて一体にしたがネジ、釘などで一体にしてもよい。
【００１２】
上記のように花瓶１４と保持板１６とを一体にした花立て１７を扉１１の裏面に設けたレール１２に差し込めば花立て１７を確実に扉１１に取付けることができ、必要でないときは簡単に取外すことができる。
【００１３】
なお、上記実施例ではアリ溝を形成する部材として断面Ｌ字状の部材を採用したが、断面コ字状のもの、片方の脚が直角の逆台形のものを採用することができる。また、上記は、アリ溝のレール１２を構成する部材と止め部材１３を扉１１の裏面に直接貼り付けたが、図３に示すように背板１８に上記アリ溝のレール１２を構成する部材と止め部材１３を取付け、上記背板１８を介して扉１１の裏面に取付けるようにすることができる。
【実施例２】
【００１４】
次に実施例２を、図３を参照しながら説明する。実施例１では花立て１７が扉１１の面に対して接近した状態で平行になっているので仏花を活け難くなる傾向があり、また、活けた花が扉１１に触れる恐れがある。
【００１５】
特に、紗を張った格子の内扉１１ａでは、その構造上、アリ溝を構成する部材を直接取付ける（貼り付ける）ことは困難であるから、背板１８にアリ溝を構成する部材を貼り付けてレール１２とし、これを内扉１１ａの格子を設けてない部分に嵌め込むようにする必要がある。
【００１６】
上記のように、内扉１１ａの格子を設けてない部分に上記レール１２を嵌め込むような構造になると、花立て１７は差し込み難くなり、仏花の花、茎、枝で紗を汚したり突き破ったりする恐れがあって、この対策が必要となる。
【００１７】
この実施例は、上記対策を施したもので、格子状の内扉１１ａの桟１９を設けてない部分に、背板１８にアリ溝を構成する部材を貼り付けてレール１２とし、その底に止め部材１３を貼り付けて、これを上記桟のない部分に嵌め込む。
【００１８】
上記嵌め込まれた背板１８と一体のレール１２の下端は、ピン２０により支持され、上端は揺動して内扉１１ａの前面から一定部分が迫りだすようになり、レール１２の中間には円弧状の長孔２１が穿設され、この長孔２１に中間ピン２２が嵌って上記迫りだし量を規制し、格子状内扉１１ａには突起２３が設けられてレール１２を収納固定できるようにし、レール１２が迫り出したところで花立て１７を差し込むようにする。
【実施例３】
【００１９】
実施例３を、図４を参照しながら説明する。花瓶１４の挿し口１４ａを全部残し、花瓶１４の縦軸に対して斜めに切断したようにして背面を平らにし、この花瓶１４を保持板１６に貼り付けたもので、このようにすれば仏花が活け易くなる。なお、図面では、挿し口１４ａは手前に向けて下向きの斜めになっているが、水平にすることもできる。
【図面の簡単な説明】
【００２０】
【図１】実施例１の（ａ）正面図、（ｂ）（ａ）のａ−ａ断面図
【図２】同部分斜視図
【図３】実施例２の（ａ）部分斜視図、（ｂ）同縦断面図
【図４】実施例３の部分斜視図
【符号の説明】
【００２１】
１０  仏壇
１１  扉
１１ａ  内扉
１３  止め部材
１４  花瓶
１４ａ  挿し口
１５  把手穴
１６  保持板
１７  花立て
１８  背板
１９  桟
２０  ピン
２１  円弧状長孔
２２  中間ピン
２３  突起
【図１】
2005168816.tif 000003
【図２】
2005168816.tif 000004
【図３】
2005168816.tif 000005
【図４】
2005168816.tif 000006